(57)【要約】  ユーザ装置は、第１の通信システムとの間で通信可能な第１のユーザ装置と、第１の通信システムと該第１の通信システムとは無線アクセス技術が異なる第２の通信システムとの間で通信可能な第２のユーザ装置とを含む。第１の通信システムは第１及び第２周波数帯で通信が可能であり、第２の通信システムは第１周波数帯で通信が可能である。制御装置は、配下のユーザ装置が第１のユーザ装置及び第２のユーザ装置のいずれかであるかを判別する判別部と、第２のユーザ装置であると判別されたユーザ装置に対して、待ち受けるべき通信システムとして第１の通信システムを指定し、待ち受けるべき周波数帯として第１周波数帯を指定する待ち受けシステム・周波数帯指定部と、指定された待ち受けるべき通信システム及び周波数帯を通知する通知部とを有する。
2010098264.tif 000002
【特許請求の範囲】
【請求項１】
ユーザ装置に対して、セル再選択の際に用いられる優先度を通知する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第２のユーザ装置であると判別されたユーザ装置に対して、待ち受けるべき移動体通信システムとして第１の移動体通信システムを指定し、待ち受けるべき周波数帯として第１周波数帯を指定するための優先度を設定する優先度設定部と、
該優先度設定部により設定された優先度を通知する通知部と
を有する制御装置。
【請求項２】
請求項１に記載の制御装置において、
第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定する輻輳レベル設定部
を有し、
前記優先度設定部は、前記輻輳レベル設定部により設定された輻輳レベルに基づいて、優先度を設定することを特徴とする制御装置。
【請求項３】
ユーザ装置に対して、待ち受けるべき移動体通信システム及び周波数帯を指定する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第２のユーザ装置であると判別されたユーザ装置に対して、待ち受けるべき移動体通信システムとして第１の移動体通信システムを指定し、待ち受けるべき周波数帯として第１周波数帯を指定する待ち受けシステム・周波数帯指定部と、
該待ち受けシステム・周波数帯指定部により指定された待ち受けるべき移動体通信システム及び周波数帯を通知する通知部と
を有する制御装置。
【請求項４】
請求項３に記載の制御装置において、
第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定する輻輳レベル設定部
を有し、
前記待ち受けシステム・周波数帯指定部は、前記輻輳レベル設定部により設定された輻輳レベルに基づいて、待ち受けるべき移動体通信システムと、待ち受けるべき周波数帯を指定することを特徴とする制御装置。
【請求項５】
ユーザ装置に対して、セル再選択の際に用いられる優先度を通知する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第１のユーザ装置であると判別されたユーザ装置に対して、待ち受けるべき周波数帯として第２周波数帯を指定するための優先度を設定する優先度設定部と、
該優先度設定部により設定された優先度を通知する通知部と
を有する制御装置。
【請求項６】
請求項５に記載の制御装置において、
第１のユーザ装置に対しては、第１周波数帯の輻輳レベルが第２周波数帯の輻輳レベルよりも高くなるように設定する輻輳レベル設定部
を有し、
前記優先度設定部は、前記輻輳レベル設定部により設定された輻輳レベルに基づいて、優先度を設定することを特徴とする制御装置。
【請求項７】
ユーザ装置に対して、待ち受けるべき移動体通信システム及び周波数帯を指定する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第１のユーザ装置であると判別されたユーザ装置に対して、待ち受けるべき周波数帯として第２周波数帯を指定する待ち受けシステム・周波数帯指定部と、
該待ち受けシステム・周波数帯指定部により指定された待ち受けるべき周波数帯を通知する通知部と
を有する制御装置。
【請求項８】
請求項７に記載の制御装置において、
第１のユーザ装置に対しては、第１周波数帯の輻輳レベルが第２周波数帯の輻輳レベルよりも高くなるように設定する輻輳レベル設定部
を有し、
前記待ち受けシステム・周波数帯指定部は、前記輻輳レベル設定部により設定された輻輳レベルに基づいて、待ち受けるべき周波数帯として第２周波数帯を指定することを特徴とする制御装置。
【請求項９】
請求項１ないし８のいずれか１項に記載の制御装置を有する無線ネットワーク制御装置。
【請求項１０】
請求項１ないし８のいずれか１項に記載の制御装置を有する基地局装置。
【請求項１１】
ユーザ装置に対して、セル再選択の際に用いられる優先度を通知する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第２のユーザ装置であると判別されたユーザ装置に対して、待ち受けるべき移動体通信システムとして第１の移動体通信システムを指定し、待ち受けるべき周波数帯として第１周波数帯を指定するための優先度を設定する優先度設定ステップと、
前記優先度設定ステップにより設定された優先度を通知する通知ステップと
を有する通信制御方法。
【請求項１２】
ユーザ装置に対して、待ち受けるべき移動体通信システム及び周波数帯を指定する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第２のユーザ装置であると判別されたユーザ装置に対して、待ち受けるべき移動体通信システムとして第１の移動体通信システムを指定し、待ち受けるべき周波数帯として第１周波数帯を指定する待ち受けシステム・周波数帯指定ステップと、
該待ち受けシステム・周波数帯指定ステップにより指定された待ち受けるべき移動体通信システム及び周波数帯を通知する通知ステップと
を有する通信制御方法。
【請求項１３】
ユーザ装置に対して、セル再選択の際に用いられる優先度を通知する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第１のユーザ装置であると判別されたユーザ装置に対して、待ち受けるべき周波数帯として第２周波数帯を指定するための優先度を設定する優先度設定ステップと、
前記優先度設定ステップにより設定された優先度を通知する通知ステップと
を有する通信制御方法。
【請求項１４】
ユーザ装置に対して、待ち受けるべき移動体通信システム及び周波数帯を指定する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第１のユーザ装置であると判別されたユーザ装置に対して、待ち受けるべき周波数帯として第２周波数帯を指定する待ち受けシステム・周波数帯指定ステップと、
該待ち受けシステム・周波数帯指定ステップにより指定された待ち受けるべき周波数帯を通知する通知ステップと
を有する通信制御方法。
【発明の詳細な説明】
【技術分野】
【０００１】
本発明は、移動体通信システムに関し、特に無線ネットワーク制御装置及び基地局装置並びに通信制御方法に関する。
【背景技術】
【０００２】
Super3Gは、W-CDMA(Wideband-Code  Division  Multiple  Access)の標準化団体3GPP(3rd  Generation  Partnership  Project)にて、ロングタームエボリューション(LTE:  Long  Term  Evolution)として仕様が作成されている。Super3Gは、W-CDMAの拡張技術であるHSPA(High  Speed  Packet  Access)から更に発展した標準規格である。Super3Gでは、下りリンクにおいて100Mbps以上、上りリンクにおいて50Mbps以上の高速通信が実現され、遅延の改善や周波数の利用効率向上などが図られる。【０００３】
今後、Super3Gが導入されることにより、既存の移動体通信システムとSuper3Gとが混在する状況となることが予想される。既存のシステムには、W-CDMA方式による移動体通信システムが含まれる。【０００４】
図１は、複数の異なる移動体通信システムが混在する状況を示す。Super3Gが導入されることにより、既存の移動体通信システム、例えばW-CDMAが適用される周波数キャリアとSuper3Gが適用される周波数キャリアとが混在する。図１において、横軸は場所や位置を示す。縦軸は周波数であり、第１周波数帯及び第２周波数帯が含まれる。第１周波数帯と第２周波数帯とは、1GHz近傍を境にして設定されてもよい。例えば、第１周波数帯は1GHz以上の周波数帯を含み、第２周波数帯は1GHz未満の周波数帯を含むようにしてもよい。【０００５】
あるいは、第１周波数帯と第２周波数帯は、1GHz近傍を境にして設定される代わりに、1.5GHｚ帯と2GHｚ帯といった、単純な周波数の違いによって設定されてもよい。あるいは、周波数バンド(Frequency  band)の違いにより設定されてもよい（例えば、非特許文献１参照）。【０００６】
5MHzは伝送帯域幅を示し、該5MHzを囲む楕円はセルを示す。ハッチングにより、第１のシステムと第２のシステムとが区別される。図１によれば、第１のシステムには第１周波数帯と第２周波数帯とが割り当てられ、第２のシステムには第１の周波数帯が割当てられる。該割り当ては一例であり、異なる場合もある。第１のシステムはW-CDMA方式が適用されるシステム、第２のシステムはSuper3Gが適用されるシステムであってもよい。【０００７】
一般に、移動体通信システムにおいて、ユーザ装置（移動局）は複数の動作状態を有する。該動作状態には、接続状態（コネクティッド(Connected)状態）と待ち受け状態（アイドル(Idle)状態）が含まれる。コネクティッド状態はユーザ装置と基地局装置との間で通信が行われている状態であり、アイドル状態はユーザ装置と基地局装置との間で通信が行われていない状態である。【０００８】
アイドル状態であるユーザ装置は、伝搬状態に基づいてセルを選択する。そして、該ユーザ装置は、予め設定されたタイミングで、該セルから送信されているページングチャネルを受信する。ユーザ装置は、受信したページングチャネルから当該ユーザ装置に対する着信を示すフラグの有無を確認する。ユーザ装置は、当該ユーザ装置に対する着信を示すフラグを確認すると、ランダムアクセス手順を開始し、在圏セルに対して上りリンクでアクセスする。ユーザ装置は、その後、該セルとの間にコネクションを張り、接続状態に遷移する。この時点で、ネットワーク側は、ユーザ装置が在圏するセルを特定できる。アイドル状態であるユーザ装置が基地局装置からページング信号を受信するために待機する状態を「待ち受ける」あるいは「待ち受けを行う」と呼ぶ。【０００９】
また、アイドル状態のユーザ装置は、ランダムアクセス手順を開始し、接続状態に遷移する。例えば、アイドル状態のユーザ装置は、発信命令などにより、ランダムアクセス手順を開始する。発信命令は、例えば、ユーザが発信ボタンを押すことにより、起動される。
【先行技術文献】
【非特許文献】
【００１０】
【非特許文献１】3GPP  TS36.101,  V  8.4.0  Dec.,  2008
【非特許文献２】3GPP  TS36.300,  V  8.7.0  Dec.,  2008
【発明の概要】
【発明が解決しようとする課題】
【００１１】
アイドル状態のユーザ装置は、伝搬状態に基づいてセルを選択し、該セルで待ち受けを行う。アイドル状態のユーザ装置が複数の異なる移動体通信システムが混在する環境に位置する場合、待ち受けを行う移動体通信システム及び／又は周波数帯によって、該待ち受けを行う移動体通信システムから通信を行う移動通信システムへのハンドオーバの成功率が異なる。【００１２】
例えば、図１に示したように第１のシステムと第２のシステムとが混在する場合について説明する。第１のシステムは既存のシステムであり、第２のシステムはSuper3Gが適用されるシステムである。【００１３】
第２のシステムが導入されてからしばらくの間は、第１のシステムは、第２のシステムと比較して、面的なカバレッジは優れる。しかし、第１のシステムは、第２のシステムと比較して通信速度は低い。換言すれば、第２のシステムは、第１のシステムと比較して、面的なカバレッジは劣るが通信速度は高い。【００１４】
アイドル状態のユーザ装置が第２のシステムで待ち受けた場合には、面的なカバレッジが劣っている移動体通信システムで待ち受けることになるため、ページング信号を受信できない虞がある。一方、アイドル状態のユーザ装置が第１のシステムで待ち受けた場合には、面的なカバレッジが十分であるためページング信号を受信できない虞はないが、通信が開始された後の通信速度が低い問題がある。従って、第１のシステムで待ち受けを行い、その後、第２のシステムにハンドオーバして、第２のシステムで通信を行うのが好ましい。【００１５】
しかし、第１のシステムには第１周波数帯と第２周波数帯とが割当てられるため、待ち受けを行う周波数帯によっては、第２のシステムにハンドオーバできない虞がある。周波数帯により電波の伝搬特性が異なるためである。【００１６】
第１のシステムに割り当てられた第１周波数帯で待ち受けを行い、第２のシステムにハンドオーバを行う場合（図１において（１）により示すハンドオーバ）には、同じ周波数帯間でのハンドオーバであるため、ハンドオーバの失敗率は小さくなる。一方、第１のシステムに割り当てられた第２周波数帯で待ち受けを行い、第２のシステムにハンドオーバを行う場合（図１において（２）により示すハンドオーバ）には、異なる周波数帯間でのハンドオーバとなり、第２周波数帯と第１周波数帯との間では伝搬特性が異なるため、ハンドオーバの失敗率は大きくなる。1GHz未満の周波数の電波は伝搬しやすく、建物の中まで浸透するが、1GHz以上の電波は伝搬しにくく、建物の中に浸透しにくいためである。【００１７】
一般に、1GHz未満の周波数の電波は伝搬しやすく、建物の中まで浸透する。一方、1GHz以上の電波は伝搬しにくく、建物の中に浸透しにくい。換言すれば、周波数が高くなるほど障害物の向こう側への回り込みができなくなる。【００１８】
そこで、本発明は上述した問題点に鑑みてなされたものであり、その目的は、待ち受けを行う移動体通信システムから通信を行う移動体通信システムへのハンドオーバの品質を向上できる制御装置、該制御装置を有する無線ネットワーク制御装置及び基地局装置並びに通信制御方法を提供することにある。
【課題を解決するための手段】
【００１９】
上記課題を解決するため、本制御装置は、
ユーザ装置に対して、セル再選択の際に用いられる優先度を通知する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第２のユーザ装置であると判別されたユーザ装置に対して、待ち受けるべき移動体通信システムとして第１の移動体通信システムを指定し、待ち受けるべき周波数帯として第１周波数帯を指定するための優先度を設定する優先度設定部と、
該優先度設定部により設定された優先度を通知する通知部と
を有する。【００２０】
本制御装置は、
ユーザ装置に対して、待ち受けるべき移動体通信システム及び周波数帯を指定する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第２のユーザ装置であると判別されたユーザ装置に対して、待ち受けるべき移動体通信システムとして第１の移動体通信システムを指定し、待ち受けるべき周波数帯として第１周波数帯を指定する待ち受けシステム・周波数帯指定部と、
該待ち受けシステム・周波数帯指定部により指定された待ち受けるべき移動体通信システム及び周波数帯を通知する通知部と
を有する。【００２１】
本制御装置は、
ユーザ装置に対して、セル再選択の際に用いられる優先度を通知する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第１のユーザ装置であると判別されたユーザ装置に対して、待ち受けるべき周波数帯として第２周波数帯を指定するための優先度を設定する優先度設定部と、
該優先度設定部により設定された優先度を通知する通知部と
を有する。【００２２】
本制御装置は、
ユーザ装置に対して、待ち受けるべき移動体通信システム及び周波数帯を指定する制御装置であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別部と、
該判別部により第１のユーザ装置であると判別されたユーザ装置に対して、待ち受けるべき周波数帯として第２周波数帯を指定する待ち受けシステム・周波数帯指定部と、
該待ち受けシステム・周波数帯指定部により指定された待ち受けるべき周波数帯を通知する通知部と
を有する。【００２３】
本無線ネットワーク制御装置は、上記制御装置を有する。【００２４】
本基地局装置は、上記制御装置を有する。【００２５】
本通信制御方法は、
ユーザ装置に対して、セル再選択の際に用いられる優先度を通知する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第２のユーザ装置であると判別されたユーザ装置に対して、待ち受けるべき移動体通信システムとして第１の移動体通信システムを指定し、待ち受けるべき周波数帯として第１周波数帯を指定するための優先度を設定する優先度設定ステップと、
前記優先度設定ステップにより設定された優先度を通知する通知ステップと
を有する。【００２６】
本通信制御方法は、
ユーザ装置に対して、待ち受けるべき移動体通信システム及び周波数帯を指定する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第２のユーザ装置であると判別されたユーザ装置に対して、待ち受けるべき移動体通信システムとして第１の移動体通信システムを指定し、待ち受けるべき周波数帯として第１周波数帯を指定する待ち受けシステム・周波数帯指定ステップと、
該待ち受けシステム・周波数帯指定ステップにより指定された待ち受けるべき移動体通信システム及び周波数帯を通知する通知ステップと
を有する。【００２７】
本通信制御方法は、
ユーザ装置に対して、セル再選択の際に用いられる優先度を通知する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第１のユーザ装置であると判別されたユーザ装置に対して、待ち受けるべき周波数帯として第２周波数帯を指定するための優先度を設定する優先度設定ステップと、
前記優先度設定ステップにより設定された優先度を通知する通知ステップと
を有する。【００２８】
本通信制御方法は、
ユーザ装置に対して、待ち受けるべき移動体通信システム及び周波数帯を指定する制御装置における通信制御方法であって、
ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、
前記第１の移動体通信システムは第１及び第２周波数帯で無線通信が可能であり、前記第２の移動体通信システムは第１周波数帯で無線通信が可能であり、
前記制御装置は、
配下のユーザ装置が前記第１のユーザ装置及び第２のユーザ装置のいずれかであるかを判別する判別ステップと、
該判別ステップにより第１のユーザ装置であると判別されたユーザ装置に対して、待ち受けるべき周波数帯として第２周波数帯を指定する待ち受けシステム・周波数帯指定ステップと、
該待ち受けシステム・周波数帯指定ステップにより指定された待ち受けるべき周波数帯を通知する通知ステップと
を有する。
【発明の効果】
【００２９】
開示の制御装置、無線ネットワーク制御装置及び基地局装置並びに通信制御方法によれば、待ち受けを行う移動体通信システムから通信を行う移動体通信システムへのハンドオーバの品質を向上できる。
【図面の簡単な説明】
【００３０】
【図１】複数の移動体通信システムが混在する状況を示す説明図である。
【図２】本実施例に従った複数の移動体通信システムが混在する環境を示す説明図である。
【図３】本実施例に従った移動体通信システムにおける処理を示す説明図である。
【図４】本実施例に従った制御装置を示す機能ブロック図である。
【図５】本実施例に従った移動体通信システムの動作を示すシーケンス図である。
【図６】本実施例に従った制御装置を示す機能ブロック図である。
【図７】本実施例に従った移動体通信システムの動作を示すシーケンス図である。
【図８】本実施例に従った制御装置を示す機能ブロック図である。
【図９】本実施例に従った移動体通信システムの動作を示すシーケンス図である。
【発明を実施するための形態】
【００３１】
次に、本発明を実施するための形態を、以下の実施例に基づき図面を参照しつつ説明する。
なお、実施例を説明するための全図において、同一機能を有するものは同一符号を用い、繰り返しの説明は省略する。
【００３２】
（移動体通信システム）
図２は、本実施例に従った無線ネットワーク制御装置(RNC:  Radio  Network  Controller)とＬＴＥ基地局装置(eNB:  eNodeB)とが適用される環境を示す。
【００３３】
本無線ネットワーク制御装置４００と、ＬＴＥ基地局装置５００とが適用される環境は、複数の異なる移動体通信システムが混在する環境である。該移動体通信システムには、W-CDMA方式の移動体通信システムと、Evolved  UTRA  and  UTRAN方式の移動体通信システムが含まれる。Evolved  UTRAN  and  UTRAN方式の移動体通信システムは、ロングタームエボリューション(LTE:  Long  Term  Evolution)と呼ばれることもあるし、スーパー３Ｇ（Super3G）と呼ばれることもある。
【００３４】
W-CDMA方式が適用されるシステム（以下、「第１のシステム」と呼ぶ）は、ユーザ装置(UE:  User  Equipment)１００及び２００と、Ｗ-ＣＤＭＡ基地局装置(Base  Station)３００ｎ（３００１、３００２）と、無線ネットワーク制御装置４００とを含む。
【００３５】
Ｗ-ＣＤＭＡ基地局装置３００ｎは無線ネットワーク制御装置４００と接続され、無線ネットワーク制御装置４００は、コアネットワーク７００と接続される。Ｗ-ＣＤＭＡ基地局装置３００ｎはセル３５０ｎをカバーする。ユーザ装置１００はセル３５０ｎにおいてＷ-ＣＤＭＡ基地局装置３００ｎとW-CDMA方式により通信を行う。図２には、１台のユーザ装置が描かれているが、２台以上であってもよい。また、図２には、無線ネットワーク制御装置４００に２台のＷ-ＣＤＭＡ基地局装置３００（３００１、３００２）が接続されているが、１台でもよいし、３台以上でもよい。また、図２には、１台の無線ネットワーク制御装置４００が描かれているが、２台以上であってもよい。
【００３６】
Evolved  UTRA  and  UTRAN方式の移動体通信システム（以下、「第２のシステム」と呼ぶ）は、ユーザ装置２００と、ＬＴＥ基地局装置５００と、アクセスゲートウェイ６００とを含む。
【００３７】
ＬＴＥ基地局装置５００はアクセスゲートウェイ６００と接続され、アクセスゲートウェイ６００は、コアネットワーク７００と接続される。ＬＴＥ基地局装置５００は、セル５５０をカバーする。ユーザ装置２００はセル５５０においてＬＴＥ基地局装置５００とEvolved  UTRA  and  UTRAN方式により通信を行う。アクセスゲートウェイ６００は、モビリティマネジメントエンティティ／サービングゲートウェイ(MME/SGW:  Mobility  Management  Entity/Serving  Gateway)と呼ばれることもある。図２には、１台のユーザ装置が描かれているが、２台以上であってもよい。また、図２には、アクセスゲートウェイ６００に１台のＬＴＥ基地局装置５００が接続されているが、２台以上でもよい。また、図２には、１台のアクセスゲートウェイ６００が描かれているが、２台以上であってもよい。
【００３８】
ＬＴＥ基地局装置５００と通信を行うことができるユーザ装置２００は、Ｗ-ＣＤＭＡ基地局装置３００ｎとも通信を行うことができる。換言すれば、ユーザ装置２００は、デュアルモード端末である。デュアルモード端末は、既存の移動体通信システム、例えばW-CDMA方式と、新たに導入される移動体通信システム、例えばLTE方式により通信を行うことができる。図２では、ユーザ装置１００は既存の移動体通信システムでのみ通信を行うことができ、ユーザ装置２００は既存の移動体通信システムとLTE方式により通信を行うことができる。
【００３９】
図３は、本実施例に従った移動体通信システムにおけるユーザ装置を待ち受けさせる周波数帯を示す。
【００４０】
図１と同様に、横軸は場所や位置を示す。縦軸は周波数であり、第１周波数帯及び第２周波数帯が含まれる。第１周波数帯と第２周波数帯とは、1GHz近傍を境にして設定されてもよい。例えば、第１周波数帯は1GHz以上の周波数帯を含み、第２周波数帯は1GHz未満の周波数帯を含むようにしてもよい。更に、第１及び第２周波数帯は、それぞれ複数の周波数帯に分割されてもよい。
【００４１】
あるいは、第１周波数帯と第２周波数帯は、１GHz近傍を境にして設定される代わりに、1.5GHｚ帯と2GHｚ帯といった、単純な周波数の違いによって設定されてもよい。あるいは、周波数バンド(Frequency  Band)の違いにより設定されてもよい（例えば、非特許文献１参照）。
【００４２】
5MHzは伝送帯域幅を示し、該5MHzを囲む楕円はセルを示す。図３において、各セルの場所や位置は重複してもよい。ハッチングにより、第１のシステムと第２のシステムとが区別される。図３によれば、第１のシステムには第１周波数帯と第２周波数帯とが割当てられ、第２のシステムには第１の周波数帯が割当てられる。第１のシステムは、第１周波数帯と第２の周波数帯によりサービスを提供する。本実施例では、一例として、Ｗ-ＣＤＭＡ基地局装置３００１は第１周波数帯によりサービスを提供し、Ｗ-ＣＤＭＡ基地局装置３００２は第２周波数帯によりサービスを提供する場合について説明する。第２のシステムは、第１周波数帯によりサービスを提供する。換言すれば、ＬＴＥ基地局装置５００は第１周波数帯によりサービスを提供する。
【００４３】
（方法１）
（制御装置）
本移動体通信システムでは、第１及び第２のシステムの両方をサポートできるユーザ装置２００を待ち受けさせるべき移動体通信システム及び周波数帯を、第１のシステムおよび第１周波数帯とする。第１のシステムに待ち受けさせることにより、第１のシステムは面的なカバレッジが十分であるため、ユーザ装置はページング信号を受信できる。また、第１のシステムには第１周波数帯と第２周波数帯とが割当てられるが、第１の周波数帯に待ち受けさせることにより、第２のシステムにハンドオーバする際にも同じ第１の周波数帯であるため、ハンドオーバの失敗率を小さくでき、ハンドオーバの品質を向上できる。
【００４４】
図４は、本実施例に従った制御装置８００を示す。本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００の両方が有するようにしてもよい。
【００４５】
本制御装置８００は、ユーザ装置判別部８０２と、優先度情報設定部８０４と、ＲＲＣ(Radio  Resource  Control)処理部８０６とを有する。
【００４６】
ユーザ装置判別部８０２には、端末の能力を識別するための情報（端末能力識別情報）が入力される。該端末能力識別情報により、ユーザ装置の能力（ケイパビリティ（Capability））が識別される。ユーザ装置には、制御装置８００が無線ネットワーク制御装置４００に含まれる場合には、該無線ネットワーク制御装置４００により制御される基地局３００（３００１、３００２）のカバーするエリアに在圏するユーザ装置１００及び２００が含まれる。また、ユーザ装置には、制御装置８００がＬＴＥ基地局装置５００に含まれる場合には、該ＬＴＥ基地局装置５００のカバーするエリアに在圏するユーザ装置２００が含まれる。例えば、ユーザ装置判別部８０２は、ユーザ装置１００及び２００が位置登録する際に、該ユーザ装置１００及び２００から端末能力識別情報を取得する。例えば、ユーザ装置判別部８０２は、ユーザ端末無線ケイパビリティ(UE  Radio  Capability)などを取得することにより、ユーザ装置１００及び２００の能力を取得するようにしてもよい。ユーザ装置判別部８０２は、端末能力識別情報に基づいて、該ユーザ装置が第１及び第２のシステムの両方をサポートできるデュアルモード端末であるかを判別する。ユーザ装置判別部８０２は、ユーザ装置の判別結果を優先度情報設定部８０４に入力する。
【００４７】
尚、端末能力識別情報は、ユーザ装置１００及び２００からコアネットワーク７００に通知された国際移動局装置識別子ソフトウェアバージョンナンバー(IMEISV:  International  Mobile  station  Equipment  Identity  and  Software  Version  number)等の端末情報を基にコアネットワーク７００で生成され、該コアネットワーク７００から無線ネットワーク制御装置４００又はＬＴＥ基地局装置５００に通知されてもよい。端末能力識別情報がコアネットワーク７００から無線ネットワーク制御装置４００又はＬＴＥ基地局装置５００に通知される場合、ユーザ装置判別部８０２は、コアネットワーク７００経由で、該ユーザ装置１００及び２００から端末能力識別情報を取得する。なおIMEISVは、3GPP標準に定められた16桁の数字である。IMEISVにより、ユーザ装置を一意に識別することやユーザ装置の種別を判別することができる。
【００４８】
優先度情報設定部８０４は、ユーザ装置判別部８０２と接続される。優先度情報設定部８０４は、ユーザ装置が待ち受ける移動体通信システム及び周波数帯を選択する際に使用する優先度を設定する。
【００４９】
例えば、無線ネットワーク制御装置４００が制御装置８００を有する場合には、該無線ネットワーク制御装置４００が制御を行うＷ-ＣＤＭＡ基地局装置３００（３００１、３００２）のカバーする移動体通信システム及び周波数帯のうち、ユーザ装置１００及び２００が待ち受ける移動体通信システム及び周波数帯を選択する際に使用する優先度を設定する。Ｗ-ＣＤＭＡ基地局装置３００１及び３００２のカバーするセルの重複するエリアに位置するユーザ装置１００及び２００は、優先度に基づいて待ち受けるセルの再選択（セルリセレクション）を行う。さらに、制御装置８００は、ＬＴＥ基地局装置５００のカバーするセルを含めて、優先度を設定するようにしてもよい。ＬＴＥ基地局装置５００のカバーする移動体通信システム及び周波数帯を含めて優先度を設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２のカバーするセルの重複するエリアに位置するユーザ装置１００及び２００は、優先度に基づいて待ち受けるセルの再選択を行う。
【００５０】
例えば、ＬＴＥ基地局装置５００が制御装置８００を有する場合には、ＬＴＥ基地局装置５００及び第２のシステムによりサービスを提供する他の基地局装置（図示なし）のカバーする移動体通信システム及び周波数帯のうち、ユーザ装置２００が待ち受ける移動体通信システム及び周波数帯を選択する際に使用する優先度を設定する。例えば、ＬＴＥ基地局装置５００及び第２のシステムによりサービスを提供する他の基地局装置のカバーするセルの重複するエリアに位置するユーザ装置２００は、優先度に基づいて待ち受けるセルの再選択を行う。さらに、制御装置８００は、Ｗ-ＣＤＭＡ基地局装置３００１及び３００２のカバーする移動体通信システム及び周波数帯を含めて、優先度を設定するようにしてもよい。Ｗ-ＣＤＭＡ基地局装置３００１及び３００２のカバーする移動体通信システム及び周波数帯を含めて優先度を設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２のカバーするセルの重複するエリアに位置するユーザ装置２００は、優先度に基づいて待ち受けるセルの再選択を行う。
【００５１】
換言すれば、優先度情報設定部８０４は、無線アクセス技術間(Inter-RAT)の再選択(reselection)に使用する優先度を設定する。また、優先度情報設定部８０４は、複数の周波数帯でサービスを提供する移動体通信システムについては、各周波数帯の優先度を設定する。優先度情報設定部８０４は、ユーザ装置判別部８０２により入力されたユーザ装置の判別結果に基づいて、該判別結果がデュアルモード端末である場合に、第１システムの優先度が高くなるように設定する。更に、第１周波数帯の優先度が高くなるように設定する。優先度情報設定部８０４は、設定した優先度をRRC処理部８０６に入力する。
【００５２】
RRC処理部８０６は、優先度情報設定部８０４と接続される。RRC処理部８０６は、ユーザ装置に、優先度情報を通知する。優先度情報には、移動体通信システムの優先度と、必要に応じて周波数帯の優先度とが含まれる。あるいは、優先度情報には、移動体通信システムの優先度と、各移動体通信システムにおける各周波数キャリアの優先度とが含まれてもよい。RRC処理部８０６は、RRC接続解放メッセージ(RRC  Connection  Release  message)に優先度情報を含めて通知するようにしてもよい。
【００５３】
制御装置８００により送信された優先度情報は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該優先度情報を無線送信する。
【００５４】
また、制御装置８００により送信された優先度情報は、該制御装置８００がＬＴＥ基地局装置５００に含まれる場合には、ユーザ装置２００に無線送信される。
【００５５】
ユーザ装置２００は、待ち受け可能な移動体通信システム（RAT）のうち、最も優先度の高い移動体通信システムに待ち受ける処理を行う。本実施例では、デュアル端末であるユーザ装置２００に対しては第1のシステムの優先度が高く設定された優先度情報が通知されるので、該ユーザ装置２００は、第１のシステムで待ち受ける処理を行う確率が高い。更に、デュアル端末であるユーザ装置２００に対しては第1周波数帯の優先度が高く設定された優先度情報が通知されるので、該ユーザ装置２００は第１周波数帯で待ち受けを行う確率が高い。換言すれば、ユーザ装置２００は、Ｗ-ＣＤＭＡ基地局装置３００１の配下で待ち受けを行う確率が高い。
【００５６】
（通信制御方法）
図５は、本実施例に従った制御装置８００とユーザ装置との間の処理を示すフロー図である。ユーザ装置には、ユーザ装置１００及び２００が含まれる。
【００５７】
ユーザ装置１００及び２００は、制御装置８００に、端末能力識別情報を送信する（ステップＳ５０２）。ユーザ装置判別部８０２は、UE  Radio  Capabilityなどを取得することにより、ユーザ装置１００及び２００の能力を取得する。
【００５８】
制御装置８００は、端末識別情報に基づいて、ユーザ装置１００及び２００の能力を判別する（ステップＳ５０４）。ユーザ装置判別部８０２は、端末能力識別情報に基づいて、ユーザ装置１００及び２００の能力を判別する。ユーザ装置１００及び２００の能力には、第１のシステムのみをサポートする能力と、第１及び第２のシステムの両方をサポートする能力とが含まれる。
【００５９】
制御装置８００は、ステップＳ５０４により判別されたユーザ装置１００及び２００の能力に基づいて、該ユーザ装置１００及び２００が待ち受ける移動体通信システム及び周波数帯を選択する際に使用する優先度を設定する（ステップＳ５０６）。優先度情報設定部８０４は、ユーザ装置の能力が第１のシステムのみをサポートするものであった場合には、第１周波数帯で待ち受けるユーザ装置１００及び２００の数と第２周波数帯で待ち受けるユーザ装置１００及び２００の数とが均等になるように、優先度を設定するようにしてもよい。移動体通信システムの優先度については、第１のシステムのみしかサポートしないため、設定しないようにしてもよいし、第１のシステムの優先度を最高値に設定してもよい。
【００６０】
また、優先度情報設定部８０４は、ユーザ装置の能力が第１及び第２のシステムの両方をサポートするものである場合には、第１のシステムの優先度を高く設定する。また、第１周波数帯の優先度を高く設定する。第１及び第２のシステムの両方をサポートするユーザ装置を第１のシステムの第１周波数帯で待ち受けさせる観点からは、第１のシステムの優先度及び第１周波数帯の優先度を最高値としてもよい。
【００６１】
制御装置８００は、ステップＳ５０６により設定された優先度情報をユーザ装置に通知する（ステップＳ５０８）。ＲＲＣ処理部８０６は、優先度情報設定部８０４により設定された優先度情報をユーザ装置に通知する。ＲＲＣ処理部８０６は、該優先度情報をRRC接続解放メッセージに含めて通知するようにしてもよい。該RRC接続解放メッセージは、ユーザ装置に通知される。該優先度をRRC接続解放メッセージに含めて通知することにより、アイドル状態に遷移する前のユーザ装置に対して、優先度を通知できる。
【００６２】
ユーザ装置１００及び２００は、制御装置８００により通知された優先度情報に基づいて、待ち受ける移動体通信システムを設定する（ステップＳ５１０）。第１及び第２のシステムの両方をサポートできるユーザ装置２００が受信する優先度情報には、第１のシステムの優先度が高いように設定されているので、第１のシステムで待ち受けするように設定する。但し、該ユーザ装置２００が第１のシステム以外で待ち受けするように設定することもありうる。
【００６３】
ユーザ装置１００及び２００は、制御装置８００により通知された優先度情報に基づいて、待ち受ける周波数帯を設定する（ステップＳ５１２）。第１及び第２のシステムの両方をサポートできるユーザ装置２００が受信する優先度情報には、第１周波数帯の優先度が高いように設定されているので、第１周波数帯で待ち受けするように設定する。但し、該ユーザ装置２００が第１周波数帯以外で待ち受けするように設定することもありうる。
【００６４】
ユーザ装置１００及び２００は、ステップＳ５１０により設定された移動体通信システムのステップＳ５１２により設定された周波数帯で待ち受ける（ステップＳ５１４）。第１及び第２のシステムの両方をサポートできるユーザ装置２００は、第１のシステムの第１周波数帯で待ち受ける。
【００６５】
（方法２）
（制御装置）
本移動体通信システムでは、第１及び第２のシステムの両方をサポートできるユーザ装置２００を待ち受けさせるべき移動体通信システムを第１のシステムとし、周波数帯（キャリア）を第１周波数帯とする。第１のシステム待ち受けさせることにより、第１のシステムは面的なカバレッジが十分であるため、ユーザ装置はページング信号を受信できる。また、第１のシステムには第１周波数帯と第２周波数帯とが割当てられるが、第１の周波数帯に待ち受けさせることにより、第２のシステムにハンドオーバする際にも同じ第１の周波数帯であるため、ハンドオーバの失敗率を小さくでき、ハンドオーバの品質を向上できる。
【００６６】
図６は、本実施例に従った制御装置８００を示す。本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００が有するようにしてもよい。
【００６７】
本制御装置８００は、ユーザ装置判別部８０２と、ＲＲＣ処理部８０６と、待ち受けシステム・キャリア設定部８０８とを有する。
【００６８】
ユーザ装置判別部８０２には、端末能力識別情報が入力される。該端末能力識別情報により、ユーザ装置の能力が識別される。ユーザ装置には、制御装置８００が無線ネットワーク制御装置４００に含まれる場合には、該無線ネットワーク制御装置４００により制御される基地局３００（３００１、３００２）のカバーするエリアに在圏するユーザ装置１００及び２００が含まれる。また、ユーザ装置には、制御装置８００が基地局５００に含まれる場合には、該基地局５００のカバーするエリアに在圏するユーザ装置２００が含まれる。例えば、ユーザ装置判別部８０２は、ユーザ装置１００及び２００が位置登録する際に、該ユーザ装置１００及び２００から端末能力識別情報を取得する。例えば、ユーザ装置判別部８０２は、UE  Radio  Capability)などを取得することにより、ユーザ装置１００及び２００の能力を取得するようにしてもよい。ユーザ装置判別部８０２は、端末能力識別情報に基づいて、該ユーザ装置がデュアルモード端末であるかを判別する。ユーザ装置判別部８０２は、ユーザ装置の判別結果を待ち受けシステム・キャリア設定部８０８に入力する。
【００６９】
尚、端末能力識別情報は、ユーザ装置１００及び２００からコアネットワーク７００に通知されたIMEISV等の端末情報を基にコアネットワーク７００で生成され、該コアネットワーク７００から無線ネットワーク制御装置４００又はＬＴＥ基地局装置５００に通知されてもよい。端末能力識別情報がコアネットワーク７００から無線ネットワーク制御装置４００又はＬＴＥ基地局装置５００に通知される場合、ユーザ装置判別部８０２は、コアネットワーク７００経由で、該ユーザ装置１００及び２００から端末能力識別情報を取得する。なおIMEISVは、3GPP標準に定められた16桁の数字である。IMEISVにより、ユーザ装置を一意に識別することやユーザ装置の種別を判別することができる。
【００７０】
待ち受けシステム・キャリア設定部８０８は、ユーザ装置判別部８０２と接続される。待ち受けシステム・キャリア設定部８０８は、ユーザ装置１００及び２００が待ち受けるべき移動体通信システム及びキャリアを設定する。
【００７１】
例えば、無線ネットワーク制御装置４００が制御装置８００を有する場合には、該無線ネットワーク制御装置４００が制御を行う第１のシステムと、該第１のシステムのキャリアのうち、ユーザ装置１００及び２００が待ち受けるべきキャリアとを設定する。Ｗ-ＣＤＭＡ基地局装置３００１及び３００２のカバーするセルの重複するエリアに位置するユーザ装置１００及び２００は、制御装置８００により設定された待ち受けるべき移動体通信システム及びキャリアに基づいて、セルリセレクション(Cell  reselection)を行う。さらに、制御装置８００は、ＬＴＥ基地局装置５００が制御を行う第２のシステムと、該第２のシステムのキャリアとを含めて、待ち受けるべき移動体通信システム及びキャリアを設定するようにしてもよい。ＬＴＥ基地局装置５００が制御を行う第２のシステムと、該第２のシステムのキャリアとを含めて待ち受けるべき移動体通信システム及びキャリアを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２が制御を行う第１及び第２のシステムのカバーするエリアに位置するユーザ装置１００及び２００は、制御装置８００により設定された待ち受けるべき移動体通信システム及びキャリアの情報に基づいて、セルリセレクション(Cell  reselection)を行う。
【００７２】
例えば、ＬＴＥ基地局装置５００が制御装置８００を有する場合には、ＬＴＥ基地局装置５００及び第２のシステムによりサービスを提供する他の基地局装置（図示なし）に適用される第２のシステムと、該第２のシステムのキャリアのうち、ユーザ装置２００が待ち受けるべきキャリアとを設定する。例えば、ＬＴＥ基地局装置５００及び第２のシステムによりサービスを提供する他の基地局装置のカバーするセルの重複するエリアに位置するユーザ装置２００は、制御装置８００により設定された待ち受けるべき移動体通信システム及びキャリアに基づいて、セルリセレクションを行う。さらに、制御装置８００は、Ｗ-ＣＤＭＡ基地局装置３００１及び３００２が制御を行う第１のシステムと、該第１のシステムのキャリアとを含めて、待ち受けるべきシステム及びキャリアを設定するようにしてもよい。Ｗ-ＣＤＭＡ基地局装置３００１及び３００２が制御を行う第１のシステムと、該第１のシステムのキャリアとを含めて待ち受けるべきシステム及びキャリアを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２が制御を行う第１及び第２のシステムのカバーするエリアに位置するユーザ装置２００は、制御装置８００により設定された待ち受けるべき移動体通信システム及びキャリアに基づいて、セルリセレクション(Cell  reselection)を行う。
【００７３】
換言すれば、待ち受けシステム・キャリア設定部８０８は、ユーザ装置１００及び２００が待ち受けるべき移動体通信システム及びキャリアを設定する。待ち受けシステム・キャリア設定部８０８は、ユーザ装置判別部８０２により入力されたユーザ装置の判別結果に基づいて、該判別結果がデュアルモード端末である場合に、待ち受けるべき移動体通信システムとして第１のシステムに設定する。更に、該判別結果がデュアルモード端末である場合に、待ち受けるべきキャリアとして第１周波数帯に設定する。待ち受けシステム・キャリア設定部８０８は、待ち受けるべき移動体通信システム及びキャリアを示す情報をRRC処理部８０６に入力する。待ち受けるべき移動体通信システム及びキャリアを示す情報には、移動体通信システムの情報と、周波数帯の情報とが含まれる。ここで、周波数帯の情報とは、例えば、キャリア周波数や、キャリア周波数を示す周波数番号であってもよい。
【００７４】
RRC処理部８０６は、待ち受けシステム・キャリア設定部８０８と接続される。RRC処理部８０６は、ユーザ装置に、待ち受けるべき移動体通信システム及びキャリアの情報を通知する。RRC処理部８０６は、RRC接続解放メッセージに待ち受けるべき移動体通信システム及びキャリアの情報を含めて通知するようにしてもよい。
【００７５】
制御装置８００により送信された待ち受けるべき移動体通信システム及びキャリアの情報は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該待ち受けるべき移動体通信システム及びキャリアの情報を無線送信する。
【００７６】
また、制御装置８００により送信された待ち受けるべき移動体通信システム及びキャリアの情報は、制御装置８００がＬＴＥ基地局装置５００に含まれる場合には、ユーザ装置２００に無線送信される。
【００７７】
ユーザ装置１００及び２００は、制御装置８００により通知された待ち受けるべき移動体通信システム及びキャリアの情報に基づいて、セルリセレクションを行う。本実施例では、デュアル端末であるユーザ装置２００に対しては、待ち受けるべき移動体通信システムの情報には第１のシステムの情報が含まれるので、該ユーザ装置２００は、第１のシステムで待ち受ける処理を行う確率が高い。更に、デュアル端末であるユーザ装置２００に対しては、待ち受けるべきキャリアの情報には第１周波数帯の情報が含まれるので、該ユーザ装置２００は、第１周波数帯で待ち受けを行う確率が高い。換言すれば、ユーザ装置２００は、Ｗ-ＣＤＭＡ基地局装置３００１の配下で待ちうけを行う確率が高い。
【００７８】
（通信制御方法）
図７は、本実施例に従った制御装置８００とユーザ装置との間の処理を示すフロー図である。ユーザ装置には、ユーザ装置１００及び２００が含まれる。
【００７９】
ユーザ装置１００及び２００は、制御装置８００に、端末能力識別情報を送信する（ステップＳ７０２）。ユーザ装置判別部８０２は、UE  Radio  Capabilityなどを取得することにより、ユーザ装置１００及び２００の能力を取得する。
【００８０】
制御装置８００は、端末識別情報に基づいて、ユーザ装置１００及び２００の能力を判別する（ステップＳ７０４）。ユーザ装置判別部８０２は、端末能力識別情報に基づいて、ユーザ装置１００及び２００の能力を判別する。ユーザ装置１００及び２００の能力には、第１のシステムのみをサポートする能力と、第１及び第２のシステムの両方をサポートする能力とが含まれる。
【００８１】
制御装置８００は、ステップＳ７０４により判別されたユーザ装置１００及び２００の能力に基づいて、該ユーザ装置１００及び２００に待ち受けさせるべき移動体通信システム及びキャリアを設定する（ステップＳ７０６）。待ち受けシステム・キャリア設定部８０８は、ユーザ装置の能力が第１及び第２のシステムの両方をサポートするものである場合には、該ユーザ装置が待ち受けるべき移動体通信システムとして第１のシステムに設定する。また、待ち受けシステム・キャリア設定部８０８は、ユーザ装置の能力が第１及び第２のシステムの両方をサポートするものである場合には、該ユーザ装置が待ち受けるべきキャリアとして第１周波数帯に設定する。
【００８２】
制御装置８００は、ステップＳ７０６により設定された待ち受けさせるべき移動体通信システム及びキャリアの情報をユーザ装置に通知する（ステップＳ７０８）。ＲＲＣ処理部８０６は、待ち受けシステム・キャリア設定部８０８により設定された待ち受けさせるべき移動体通信システム及びキャリアをユーザ装置に通知する。ＲＲＣ処理部８０６は、該待ち受けさせるべき移動体通信システム及びキャリアの情報をRRC接続解放メッセージに含めて通知するようにしてもよい。該RRC接続解放メッセージは、ユーザ装置に通知される。該待ち受けるべき移動体通信システム及びキャリアの情報をRRC接続解放メッセージに含めて通知することにより、アイドル状態に遷移する前のユーザ装置に対して、待ち受けるべき移動体通信システム及びキャリアを通知できる。
【００８３】
ユーザ装置１００及び２００は、制御装置８００により通知された待ち受けるべき移動体通信システム及びキャリアの情報に基づいて、待ち受ける移動体通信システムを設定する（ステップＳ７１０）。第１及び第２のシステムの両方をサポートできるユーザ装置２００が受信する待ち受けるべき移動体通信システム及びキャリアの情報には第１のシステムが含まれるので、該ユーザ装置２００は、第１のシステムで待ち受けするように設定する。但し、該ユーザ装置２００が、第１のシステム以外で待ち受けすることもありうる。
【００８４】
ユーザ装置１００及び２００は、制御装置８００により通知された待ち受けるべき移動体通信システム及びキャリアの情報に基づいて、待ち受ける周波数帯を設定する（ステップＳ７１２）。第１及び第２のシステムの両方をサポートできるユーザ装置２００が受信する待ち受けるべき移動体通信システム及びキャリアの情報には第１周波数が含まれるので、該ユーザ装置２００は、第１周波数帯で待ち受けするように設定する。但し、該ユーザ装置２００が、第１周波数帯以外で待ち受けすることもありうる。
【００８５】
ユーザ装置１００及び２００は、ステップＳ７１０により設定された移動体通信システムのステップＳ７１２により設定された周波数帯で待ち受ける（ステップＳ７１４）。第１及び第２のシステムの両方をサポートできるユーザ装置２００は、第１のシステムの第１周波数帯で待ち受ける。
【００８６】
（方法３）
（制御装置）
本移動体通信システムでは、第１及び第２のシステムの両方をサポートできるユーザ装置２００が第１のシステムの第１周波数帯に待ち受ける確率を向上させる。第１のシステムに待ち受ける確率を向上させることにより、第１のシステムは面的なカバレッジが十分であるため、ユーザ装置はページング信号を必ず受信できる。また、第１のシステムには第１周波数帯と第２周波数帯とが割当てられるが、第１の周波数帯に待ち受ける確率を向上させることにより、第２のシステムにハンドオーバする際にも同じ第１の周波数帯であるため、ハンドオーバの失敗率を小さくでき、ハンドオーバの品質を向上できる。
【００８７】
図８は、本実施例に従った制御装置８００を示す。本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００が有するようにしてもよい。
【００８８】
本制御装置８００は、ユーザ装置判別部８０２と、輻輳レベル設定部８１０と、重み付け設定部８１２と、優先度情報設定部８１４と、ＲＲＣ処理部８０６とを有する。
【００８９】
ユーザ装置判別部８０２には、端末能力識別情報が入力される。該端末能力識別情報により、ユーザ装置の能力が識別される。ユーザ装置には、制御装置８００が無線ネットワーク制御装置４００に含まれる場合には、該無線ネットワーク制御装置４００により制御されるＷ-ＣＤＭＡ基地局３００（３００１、３００２）のカバーするエリアに在圏するユーザ装置１００及び２００が含まれる。また、ユーザ装置には、制御装置８００がＬＴＥ基地局５００に含まれる場合には、該ＬＴＥ基地局５００のカバーするエリアに在圏するユーザ装置２００が含まれる。例えば、ユーザ装置判別部８０２は、ユーザ装置１００及び２００が位置登録する際に、該ユーザ装置１００及び２００から端末能力識別情報を取得する。例えば、ユーザ装置判別部８０２は、UE  Radio  Capability)などを取得することにより、ユーザ装置１００及び２００の能力を取得するようにしてもよい。ユーザ装置判別部８０２は、端末能力識別情報に基づいて、該ユーザ装置がデュアルモード端末であるかを判別する。ユーザ装置判別部８０２は、ユーザ装置の判別結果を輻輳レベル設定部８１０及び重み付け設定部８１２に入力する。
【００９０】
尚、端末能力識別情報は、ユーザ装置１００及び２００からコアネットワーク７００に通知されたIMEISV等の端末情報を基にコアネットワーク７００で生成され、該コアネットワーク７００から無線ネットワーク制御装置４００又はＬＴＥ基地局装置５００に通知されてもよい。端末能力識別情報がコアネットワーク７００から無線ネットワーク制御装置４００又はＬＴＥ基地局装置５００に通知される場合、ユーザ装置判別部８０２は、コアネットワーク７００経由で、該ユーザ装置１００及び２００から端末能力識別情報を取得する。なおIMEISVは、3GPP標準に定められた16桁の数字である。IMEISVにより、ユーザ装置を一意に識別することやユーザ装置の種別を判別することができる。
【００９１】
輻輳レベル設定部８１０は、ユーザ装置判別部８０２及び重み付け設定部８１２と接続される。輻輳レベル設定部８１０は、ユーザ装置１００及び２００が待ち受ける移動体通信システム及び周波数帯を選択する際に使用するセル再選択のための優先度を設定する際に使用する輻輳レベルを設定する。該輻輳レベルには、リソース使用率及び／又はユーザ装置数が含まれてもよい。リソース使用率には、ベースバンド(BB:  baseband)リソース、時間リソース、周波数リソース、コードリソース、電力リソースなどが含まれてもよい。ユーザ装置数には、待ち受けするユーザ装置数、通信中のユーザ装置数、RRC  Connected状態にあるユーザ装置数、バッファ(Buffer)に送信すべきデータが存在するユーザ装置数が含まれてもよい。
【００９２】
例えば、無線ネットワーク制御装置４００が制御装置８００を有する場合には、該無線ネットワーク制御装置４００が制御を行うＷ-ＣＤＭＡ基地局装置３００（３００１、３００２）がカバーする移動体通信システム及び周波数帯のうち、ユーザ装置１００及び２００が待ち受ける移動体通信システム及び周波数帯を選択する際に使用するセル再選択のための優先度を設定する際に使用する輻輳レベルを設定する。Ｗ-ＣＤＭＡ基地局装置３００１及び３００２のカバーするセルの重複するエリアに位置するユーザ装置１００及び２００は、後述するように、輻輳レベルに基づいて、各移動体通信システム及び各キャリアのセル再選択のための優先度が設定されるため、該優先度に基づいて待ち受けるセルの再選択を行う。さらに、制御装置８００は、ＬＴＥ基地局装置５００のカバーする移動体通信システム及び周波数帯を含めて、輻輳レベルを設定するようにしてもよい。ＬＴＥ基地局装置５００のカバーする移動体通信システム及び周波数帯を含めて輻輳レベルを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２のカバーするセルの重複するエリアに位置するユーザ装置１００及び２００は、後述するように、輻輳レベルに基づいて、各移動体通信システム及び各キャリアのセル再選択のための優先度が設定されるため、該優先度に基づいて待ち受けるべき移動体通信システム及び周波数帯の再選択を行う。
【００９３】
例えば、ＬＴＥ基地局装置５００が制御装置８００を有する場合には、ＬＴＥ基地局装置５００及び第２のシステムによりサービスを提供する他の基地局装置（図示なし）のカバーする移動体通信システム及び周波数帯のうち、ユーザ装置２００が待ち受ける移動体通信システム及び周波数帯を選択する際に使用する輻輳レベルを設定する。例えば、ＬＴＥ基地局装置５００及び第２のシステムによりサービスを提供する他の基地局装置のカバーするセルの重複するエリアに位置するユーザ装置２００は、後述するように、輻輳レベルに基づいて、各移動体通信システム及び各キャリアのセル再選択のための優先度が設定されるため、該優先度に基づいて待ち受けるべき移動体通信システム及び周波数帯を選択する。さらに、制御装置８００は、Ｗ-ＣＤＭＡ基地局装置３００１及び３００２のカバーする移動体通信システム及び周波数帯を含めて、輻輳レベルを設定するようにしてもよい。Ｗ-ＣＤＭＡ基地局装置３００１及び３００２のカバーする移動体通信システム及び周波数帯を含めて輻輳レベルを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２のカバーするセルの重複するエリアに位置するユーザ装置２００は、後述するように、輻輳レベルに基づいて、各システム及び各キャリアのセル再選択のための優先度が設定されるため、該優先度に基づいて待ち受けるべき移動体通信システム及び周波数帯を選択する。輻輳レベル設定部８１０は、重み付け設定部８１２により入力される重み付けに従って、移動体通信システムの輻輳レベルを設定する。また、輻輳レベル設定部８１０は、重み付け設定部８１２により入力される重み付けに従って、周波数帯又は該周波数帯の中の各キャリアの輻輳レベルを設定する。輻輳レベル設定部８１０は、周波数帯又は該周波数帯の中の各キャリアの輻輳レベルを優先度情報設定部８１４に入力する。
【００９４】
優先度情報設定部８１４は、輻輳レベル設定部８１０により入力された輻輳レベルに基づき、各移動体通信システムの周波数帯、又は、該周波数帯の中の各キャリアに関する、セル再選択のための優先度を決定する。
【００９５】
優先度情報設定部８１４は、RRC処理部８０６に、セル再選択のための優先度を入力する。該セル再選択のための優先度には、移動体通信システムのセル再選択のための優先度と、必要に応じて周波数帯又は該周波数帯の中の各キャリアに関する、セル再選択のための優先度とが含まれる。
【００９６】
重み付け設定部８１２は、ユーザ装置判別部８０２と接続される。重み付け設定部８１２は、輻輳レベルに対する重み付けを設定する。具体的には、重み付け設定部８１２は、移動体通信システムの輻輳レベルに対する重み付けを設定する。また、重み付け設定部８１２は、サービスを提供する周波数帯又は該周波数帯の中の各キャリアの輻輳レベルに対する重み付けを設定する。重み付け設定部８１２は、ユーザ装置判別部８０２により入力されたユーザ装置の判別結果に基づいて、該判別結果がデュアルモード端末である場合に、第１システムの輻輳レベルが低くなるように、重み付けを設定する。更に、第１周波数帯の輻輳レベルが低くなるように、重み付けを設定する。又は、重み付け設定部８１２は、ユーザ装置判別部８０２により入力されたユーザ装置の判別結果に基づいて、ユーザ装置の判別結果がデュアルモード端末である場合に、第２システムの輻輳レベルが高くなるように、重み付けを設定するようにしてもよい。更に、第２周波数帯の輻輳レベルが高くなるように、重み付けを設定するようにしてもよい。重み付け設定部８１２は、重み付け情報を輻輳レベル設定部８１０に入力する。重み付け情報には、移動体通信システムの輻輳レベルに対する重み付けと、必要に応じて周波数帯の輻輳レベルに対する重み付けとが含まれる。又は、周波数帯の中の各キャリアの輻輳レベルに対する重み付けが含まれてもよい。
【００９７】
RRC処理部８０６は、優先度情報設定部８１４と接続される。RRC処理部８０６は、ユーザ装置に、セル再選択のための優先度を通知する。
【００９８】
制御装置８００により送信されたセル再選択のための優先度は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該セル再選択のための優先度を無線送信する。
【００９９】
また、制御装置８００により送信されたセル再選択のための優先度は、該制御装置８００がＬＴＥ基地局装置５００に含まれる場合には、ユーザ装置２００に無線送信される。
【０１００】
ユーザ装置１００及び２００は、待ち受け可能な移動体通信システムのうち、最もセル再選択のための優先度が高い移動体通信システムに待ち受ける処理を行う。本実施例では、デュアル端末であるユーザ装置２００に対しては第１のシステムのセル再選択のための優先度が高く及び／又は第２のシステムのセル再選択のための優先度が低く設定された、セル再選択のための優先度が通知されるので、該ユーザ装置２００は、第１のシステムで待ち受ける処理を行う確率が高くなる。更に、デュアル端末であるユーザ装置２００に対しては第1周波数帯のセル再選択のための優先度が高く及び／又は第２周波数帯のセル再選択のための優先度が低く設定された、セル再選択のための優先度が通知されるので、該ユーザ装置は、第１周波数帯で待ち受ける処理を行う確率が高くなる。
【０１０１】
（通信制御方法）
図９は、本実施例に従った制御装置８００とユーザ装置との間の処理を示すフロー図である。ユーザ装置には、ユーザ装置１００及び２００が含まれる。
【０１０２】
ユーザ装置１００及び２００は、制御装置８００に、端末能力識別情報を送信する（ステップＳ９０２）。ユーザ装置判別部８０２は、UE  Radio  Capabilityなどを取得することにより、ユーザ装置１００及び２００の能力を取得する。
【０１０３】
制御装置８００は、端末識別情報に基づいて、ユーザ装置１００及び２００の能力を判別する（ステップＳ９０４）。ユーザ装置判別部８０２は、端末能力識別情報に基づいて、ユーザ装置１００及び２００の能力を判別する。ユーザ装置１００及び２００の能力には、第１のシステムのみをサポートする能力と、第１及び第２のシステムの両方をサポートする能力とが含まれる。
【０１０４】
制御装置８００は、ステップＳ９０４により判別されたユーザ装置１００及び２００の能力に基づいて、該ユーザ装置１００及び２００が待ち受ける移動体通信システム及び周波数帯を選択する際に使用する輻輳レベルに対する重み付けを設定する（ステップＳ９０６）。重み付け設定部８１２は、ユーザ装置判別部８０２により入力されたユーザ装置の判別結果に基づいて、該判別結果がデュアルモード端末である場合に、第１のシステムの輻輳レベルが低くなるように、重み付けを設定する。更に、第１周波数帯の輻輳レベルが低くなるように、重み付けを設定するようにしてもよい。また、重み付け設定部８１２は、ユーザ装置判別部８０２により入力されたユーザ装置の判別結果に基づいて、該判別結果がデュアルモード端末である場合に、第２システムの輻輳レベルが高くなるように、重み付けを設定するようにしてもよい。更に、第２周波数帯の輻輳レベルが高くなるように、重み付けを設定するようにしてもよい。
【０１０５】
制御装置８００は、ステップＳ９０６により設定された輻輳レベルに対する重み付けに従って、輻輳レベルを設定する（ステップＳ９０８）。輻輳レベル設定部８１０は、重み付け設定部８１２により入力された重み付けに従って、移動体通信システムの輻輳レベルを設定する。
【０１０６】
制御装置８００は、ステップＳ９０８により設定された輻輳レベルに基づいて、セル再選択のための優先度を設定する（ステップＳ９１０）。優先度情報設定部８１４は、輻輳レベルに基づいて、移動体通信システムのセル再選択のための優先度を設定する。移動体通信システムのセル再選択のための優先度には、第１のシステムのセル再選択のための優先度と、第２のシステムのセル再選択のための優先度とが含まれてもよい。また、優先度情報設定部８１４は、移動体通信システムが複数の周波数帯でサービスを提供している場合には、各周波数帯のセル再選択のための優先度を設定する。各周波数帯のセル再選択のための優先度には、第１周波数帯のセル再選択のための優先度と、第２周波数帯のセル再選択のための優先度とが含まれてもよい。あるいは、優先度情報設定部８１４は、各移動体通信システムの各周波数帯の各キャリアのセル再選択のための優先度を設定してもよい。
【０１０７】
制御装置８００は、ユーザ装置に、ステップＳ９１０により設定されたセル再選択のための優先度を通知する（ステップＳ９１２）。ＲＲＣ処理部８０６は、ユーザ装置に、優先度情報設定部８１４により設定されたセル再選択のための優先度を通知する。
【０１０８】
ユーザ装置１００及び２００は、制御装置８００により通知されたセル再選択のための優先度に基づいて、待ち受ける移動体通信システムを設定する（ステップＳ９１４）。第１及び第２のシステムの両方をサポートできるユーザ装置２００が受信するセル再選択のための優先度には、第１のシステムのセル再選択のための優先度が高く設定されているので、該ユーザ装置２００は第１のシステムで待ち受けするように設定する確率が高い。
【０１０９】
ユーザ装置１００及び２００は、制御装置８００により通知されたセル再選択のための優先度に基づいて、待ち受ける周波数帯を設定する（ステップＳ９１６）。第１及び第２のシステムの両方をサポートできるユーザ装置２００が受信するセル再選択のための優先度には、第１周波数帯のセル再選択のための優先度が高いように設定されているので、該ユーザ装置２００は第１周波数帯で待ち受けする確率が高い。
【０１１０】
ユーザ装置１００及び２００は、ステップＳ９１４により設定された移動体通信システムのステップＳ９１６により設定された周波数帯で待ち受ける（ステップＳ９１８）。第１及び第２のシステムの両方をサポートできるユーザ装置２００は、第１のシステムの第１周波数帯で待ち受ける確率が高い。
【０１１１】
方法３において、制御装置８００は、輻輳レベルに基づいて、ユーザ装置１００及び２００が待ち受けるべき移動体通信システム及びキャリアを設定するようにしてもよい。例えば、図８において、優先度情報設定部８１４に代わりに、待ち受けシステム・キャリア設定部を有するようにしてもよい。
【０１１２】
例えば、無線ネットワーク制御装置４００が制御装置８００を有する場合には、該無線ネットワーク制御装置４００が制御を行う第１のシステムと、該第１のシステムのキャリアのうち、ユーザ装置１００及び２００が待ち受けるべきキャリアとを設定する。Ｗ-ＣＤＭＡ基地局装置３００１及び３００２のカバーするセルの重複するエリアに位置するユーザ装置１００及び２００は、制御装置８００により設定された待ち受けるべき移動体通信システム及びキャリアに基づいて、セルリセレクション(Cell  reselection)を行う。さらに、制御装置８００は、ＬＴＥ基地局装置５００が制御を行う第２のシステムと、該第２のシステムのキャリアとを含めて、待ち受けるべき移動体通信システム及びキャリアを設定するようにしてもよい。ＬＴＥ基地局装置５００が制御を行う第２のシステムと、該第２のシステムのキャリアとを含めて待ち受けるべき移動体通信システム及びキャリアを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２が制御を行う第１及び第２のシステムのカバーするエリアに位置するユーザ装置１００及び２００は、制御装置８００により設定された待ち受けるべき移動体通信システム及びキャリアの情報に基づいて、セルリセレクション(Cell  reselection)を行う。
【０１１３】
例えば、ＬＴＥ基地局装置５００が制御装置８００を有する場合には、ＬＴＥ基地局装置５００及び第２のシステムによりサービスを提供する他の基地局装置（図示なし）に適用される第２のシステムと、該第２のシステムのキャリアのうち、ユーザ装置２００が待ち受けるべきキャリアとを設定する。例えば、ＬＴＥ基地局装置５００及び第２のシステムによりサービスを提供する他の基地局装置のカバーするセルの重複するエリアに位置するユーザ装置２００は、制御装置８００により設定された待ち受けるべき移動体通信システム及びキャリアに基づいて、セルリセレクションを行う。さらに、制御装置８００は、Ｗ-ＣＤＭＡ基地局装置３００１及び３００２が制御を行う第１のシステムと、該第１のシステムのキャリアとを含めて、待ち受けるべきシステム及びキャリアを設定するようにしてもよい。Ｗ-ＣＤＭＡ基地局装置３００１及び３００２が制御を行う第１のシステムと、該第１のシステムのキャリアとを含めて待ち受けるべきシステム及びキャリアを設定する際には、無線ネットワーク制御装置４００とＬＴＥ基地局装置５００とが有線又は無線接続されてもよい。ＬＴＥ基地局装置５００、Ｗ-ＣＤＭＡ基地局装置３００１及び３００２が制御を行う第１及び第２のシステムのカバーするエリアに位置するユーザ装置２００は、制御装置８００により設定された待ち受けるべき移動体通信システム及びキャリアに基づいて、セルリセレクション(Cell  reselection)を行う。
【０１１４】
待ち受けシステム・キャリア設定部は、輻輳レベル設定部８１０により入力された輻輳レベルに基づいて、ユーザ装置１００及び２００が待ち受けるべき移動体通信システム及びキャリアを設定する。輻輳レベルに対して重み付けがされているので、デュアル端末であるユーザ装置２００が待ち受けるべき移動体通信システムは、輻輳レベルが小さい移動体通信システムで待ち受けするべきであるという点と、第１のシステムの優先度が高いという点の両方が考慮されて設定されることになる。更に、デュアルモード端末であるユーザ装置２００が待ち受けるべきキャリアは、輻輳レベルが小さいキャリアで待ち受けするべきであるという点と、第１周波数帯の優先度が高いという点の両方が考慮されて設定されることになる。待ち受けシステム・キャリア設定部は、待ち受けるべき移動体通信システム及びキャリアを示す情報をRRC処理部８０６に入力する。
【０１１５】
（方法４）
（制御装置）
本移動体通信システムでは、第１のシステムのみをサポートできるユーザ装置１００を待ち受けさせるべき周波数帯を第２周波数帯となるように制御が行われる。第１のシステムのみをサポートできるユーザ装置１００を待ち受けさせるべき周波数帯を第１のシステムの第２周波数帯となるように制御することにより、第１周波数帯で待ち受けを行うユーザ装置の数が少なくなるため、第１及び第２のシステムの両方をサポートできるユーザ装置２００が待ち受ける周波数帯が第１周波数帯となる確率を高くすることができる。第１及び第２のシステムの両方をサポートできるユーザ装置２００を待ち受けさせる周波数帯が第１周波数帯となる確率を高くすることにより、該ユーザ装置が第１のシステムに待ち受けを行い、第２のシステムにハンドオーバする際にも同じ第１の周波数帯であるため、ハンドオーバの失敗率を小さくでき、ハンドオーバの品質を向上できる。
【０１１６】
本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００が有するようにしてもよい。本実施例に従った制御装置８００は、図４を参照して説明した制御装置と同様の機能ブロック図で示される。しかし、図４を参照して説明した制御装置と、優先度情報設定部８０４の機能が異なる。
【０１１７】
優先度情報設定部８０４は、ユーザ装置判別部８０２と接続される。優先度情報設定部８０４は、ユーザ装置が待ち受ける移動体通信システム及び周波数帯を選択する際に使用する優先度を設定する。具体的には、優先度情報設定部８０４は、無線アクセス技術間の再選択に使用する優先度を設定する。また、優先度情報設定部８０４は、複数の周波数帯でサービスを提供する移動体通信システムについては、各周波数帯の優先度を設定する。優先度情報設定部８０４は、ユーザ装置判別部８０２により入力されたユーザ装置の判別結果に基づいて、該判別結果が第１のシステムのみをサポートするものである場合に、第２周波数帯の優先度が高くなるように設定する。優先度情報設定部８０４は、設定した優先度をRRC処理部８０６に入力する。
【０１１８】
RRC処理部８０６は、優先度情報設定部８０４と接続される。RRC処理部８０６は、ユーザ装置に、優先度情報を通知する。優先度情報には、移動体通信システムの優先度と、必要に応じて周波数帯の優先度とが含まれる。RRC処理部８０６は、RRC接続解放メッセージに優先度情報を含めて通知するようにしてもよい。
【０１１９】
制御装置８００により送信された優先度情報は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該優先度情報を無線送信する。
【０１２０】
また、制御装置８００により送信された優先度情報は、該制御装置８００がＬＴＥ基地局装置５００に含まれる場合には、ユーザ装置２００に無線送信される。
【０１２１】
ユーザ装置２００は、待ち受け可能な移動体通信システムのうち、最も優先度の高い移動体通信システムに待ち受ける処理を行う。本実施例では、第１のシステムのみサポートするユーザ装置１００に対しては第２周波数帯の優先度が高く設定された優先度情報が通知されるので、該ユーザ装置１００は、第１のシステムの第２周波数帯で待ち受ける処理を行う。換言すれば、ユーザ装置１００は、Ｗ-ＣＤＭＡ基地局装置３００２の配下で待ち受けを行う。
【０１２２】
（通信制御方法）
本実施例に従った制御装置８００とユーザ装置との間の処理は、図５に示すフロー図で説明される。図５に示すフロー図において、ステップＳ５０６以降の処理が異なる。ユーザ装置には、ユーザ装置１００及び２００が含まれる。
【０１２３】
ステップＳ５０６では、制御装置８００は、ステップＳ５０４により判別されたユーザ装置１００及び２００の能力に基づいて、該ユーザ装置１００及び２００が待ち受ける移動体通信システム及び周波数帯を選択する際に使用する優先度を設定する。優先度情報設定部８０４は、ユーザ装置の能力が第１のシステムのみをサポートするものであった場合には、第２周波数帯の優先度が高くなるように設定する。移動体通信システムの優先度については、第１のシステムのみしかサポートしないため、設定しないようにしてもよいし、第１のシステムの優先度を最高値に設定してもよい。
【０１２４】
また、優先度情報設定部８０４は、ユーザ装置の能力が第１及び第２のシステムの両方をサポートするものである場合には、第１のシステムの優先度を高く設定するようにしてもよい。また、優先度情報設定部８０４は、ユーザ装置の能力が第１及び第２のシステムの両方をサポートするものである場合には、第１周波数帯の優先度を高く設定するようにしてもよい。
【０１２５】
ステップＳ５０８では、制御装置８００は、ステップＳ５０６により設定された優先度情報をユーザ装置に通知する。ＲＲＣ処理部８０６は、優先度情報設定部８０４により設定された優先度情報をユーザ装置に通知する。ＲＲＣ処理部８０６は、該優先度情報をRRC接続解放メッセージに含めて通知するようにしてもよい。該RRC接続解放メッセージは、ユーザ装置に通知される。該優先度をRRC接続解放メッセージに含めて通知することにより、アイドル状態に遷移する前のユーザ装置に対して、優先度を通知できる。
【０１２６】
ステップＳ５１０では、ユーザ装置１００及び２００は、制御装置８００により通知された優先度情報に基づいて、待ち受ける移動体通信システムを設定する。第１のシステムのみをサポートできるユーザ装置１００は、第１のシステムで待ち受けするように設定する。第１及び第２のシステムの両方をサポートできるユーザ装置２００は、通知された優先度情報に基づいて、優先度が高い移動体通信システムで待ち受けするように設定する。
【０１２７】
ステップＳ５１２では、ユーザ装置１００及び２００は、制御装置８００により通知された優先度情報に基づいて、待ち受ける周波数帯を設定する。第１のシステムのみをサポートできるユーザ装置１００は、第２周波数帯の優先度が高いように設定された優先度情報を受信するので、第２の周波数帯で待ち受けするように設定する。第１及び第２のシステムの両方をサポートできるユーザ装置２００は、制御装置８００により通知された優先度情報に基づいて、優先度の高い周波数帯で待ち受けするように設定する。
【０１２８】
ステップＳ５１４では、ユーザ装置１００及び２００は、ステップＳ５１０により設定された移動体通信システムのステップＳ５１２により設定された周波数帯で待ち受ける。例えば、第１のシステムのみをサポートできるユーザ装置は、第１のシステムの第２周波数帯で待ち受ける。
【０１２９】
（方法５）
（制御装置）
本移動体通信システムでは、第１のシステムのみをサポートできるユーザ装置１００を待ち受けさせるべきキャリアを第２周波数帯となるように制御が行われる。第１のシステムのみをサポートできるユーザ装置１００を待ち受けさせるべきキャリアを第１のシステムの第２周波数帯となるように制御することにより、第１周波数帯で待ち受けを行うユーザ装置の数が少なくなるため、第１及び第２のシステムの両方をサポートできるユーザ装置２００が待ち受けるキャリアが第１周波数帯となる確率を高くすることができる。第１及び第２のシステムの両方をサポートできるユーザ装置２００を待ち受けさせるキャリアが第１周波数帯となる確率を高くすることにより、該ユーザ装置が第１のシステムに待ち受けを行い、第２のシステムにハンドオーバする際にも同じ第１の周波数帯であるため、ハンドオーバの失敗率を小さくでき、ハンドオーバの品質を向上できる。
【０１３０】
本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００が有するようにしてもよい。本実施例に従った制御装置８００は、図６を参照して説明した制御装置と同様の機能ブロック図で示される。しかし、図６を参照して説明した制御装置と、待ち受けシステム・キャリア設定部８０８の機能が異なる。
【０１３１】
待ち受けシステム・キャリア設定部８０８は、ユーザ装置判別部８０２と接続される。待ち受けシステム・キャリア設定部８０８は、ユーザ装置１００及び２００が待ち受ける移動体通信システム及び周波数帯を設定する。具体的には、待ち受けシステム・キャリア設定部８０８は、ユーザ装置１００及び２００が待ち受けるべき移動体通信システムを設定する。また、待ち受けシステム・キャリア設定部８０８は、複数の周波数帯でサービスを提供する移動体通信システムについては、待ち受けるべき周波数帯を設定する。待ち受けシステム・キャリア設定部８０８は、ユーザ装置判別部８０２により入力されたユーザ装置の判別結果に基づいて、該判別結果が第１のシステムのみをサポートするものである場合に、待ち受けるべき周波数帯として第２周波数帯に設定する。待ち受けシステム・キャリア設定部８０８は、設定した待ち受けるべき移動体通信システム及び周波数帯を示す情報をRRC処理部８０６に入力する。待ち受けるべき移動体通信システム及び周波数帯を示す情報には、移動体通信システムの情報と、周波数帯の情報とが含まれる。ここで、周波数帯の情報とは、例えば、キャリア周波数や、キャリア周波数を示す周波数番号であってもよい。
【０１３２】
RRC処理部８０６は、待ち受けシステム・キャリア設定部８０８と接続される。RRC処理部８０６は、ユーザ装置に、待ち受けるべき移動体通信システム及び周波数帯の情報を通知する。RRC処理部８０６は、RRC接続解放メッセージに待ち受けるべき移動体通信システム及び周波数帯の情報を含めて通知するようにしてもよい。
【０１３３】
制御装置８００により送信された待ち受けるべき移動体通信システム及び周波数帯の情報は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該待ち受けるべき移動体通信システム及び周波数帯の情報を無線送信する。
【０１３４】
また、制御装置８００により送信された待ち受けるべき移動体通信システム及び周波数帯の情報は、制御装置８００がＬＴＥ基地局装置５００に含まれる場合には、ユーザ装置２００に無線送信される。
【０１３５】
ユーザ装置１００及び２００は、制御装置８００により通知された待ち受けるべき移動体通信システム及び周波数帯の情報に基づいて、セルリセレクションを行う。本実施例では、第１のシステムのみをサポートするユーザ装置１００は、待ち受けるべき移動体通信システム及び周波数帯の情報には第２周波数帯の情報が含まれるので、該ユーザ装置１００は、第２周波数帯で待ち受けを行う確率が高い。換言すれば、ユーザ装置１００は、Ｗ-ＣＤＭＡ基地局装置３００２の配下で待ちうけを行う確率が高い。
【０１３６】
（通信制御方法）
本実施例に従った制御装置８００とユーザ装置との間の処理は、図７に示すフロー図で説明される。図７に示すフロー図において、ステップＳ７０６以降の処理が異なる。ユーザ装置には、ユーザ装置１００及び２００が含まれる。
【０１３７】
ステップＳ７０６では、制御装置８００は、ステップＳ７０４により判別されたユーザ装置１００及び２００の能力に基づいて、該ユーザ装置１００及び２００に待ち受けさせるべき移動体通信システム及び周波数帯を設定する。待ち受けシステム・キャリア設定部８０８は、ユーザ装置の能力が第１のシステムのみをサポートするものである場合には、該ユーザ装置１００に待ち受けさせるべき移動体通信システムとして第１のシステムに設定する。また、待ち受けシステム・キャリア設定部８０８は、ユーザ装置の能力が第１のシステムのみをサポートするものである場合には、該ユーザ装置１００に待ち受けさせるべき周波数帯として第２周波数帯に設定する。
【０１３８】
ステップＳ７０８では、制御装置８００は、ステップＳ７０６により設定された待ち受けさせるべき移動体通信システム及び周波数帯の情報をユーザ装置に通知する。ＲＲＣ処理部８０６は、待ち受けシステム・キャリア設定部８０８により設定された待ち受けさせるべき移動体通信システム及び周波数帯をユーザ装置に通知する。ＲＲＣ処理部８０６は、該待ち受けさせるべき移動体通信システム及び周波数帯の情報をRRC接続解放メッセージに含めて通知するようにしてもよい。該RRC接続解放メッセージは、ユーザ装置に通知される。該待ち受けるべき移動体通信システム及び周波数帯の情報をRRC接続解放メッセージに含めて通知することにより、アイドル状態に遷移する前のユーザ装置に対して、待ち受けるべき移動体通信システム及び周波数帯を通知できる。
【０１３９】
ステップＳ７１０では、ユーザ装置１００及び２００は、制御装置８００により通知された待ち受けるべき移動体通信システム及び周波数帯の情報に基づいて、待ち受ける移動体通信システムを設定する。第１のシステムのみをサポートできるユーザ装置１００は、第１のシステムで待ち受けするように設定する。
【０１４０】
ステップＳ７１２では、ユーザ装置１００及び２００は、制御装置８００により通知された待ち受けるべき移動体通信システム及び周波数帯の情報に基づいて、待ち受ける周波数帯を設定する。第１のシステムのみをサポートできるユーザ装置１００が受信する待ち受けるべき移動体通信システム及び周波数帯の情報には第２周波数帯が含まれるので、該ユーザ装置１００は、第２周波数帯で待ち受けするように設定する。
【０１４１】
ステップＳ７１４では、ユーザ装置１００及び２００は、ステップＳ７１０により設定された移動体通信システムのステップＳ７１２により設定された周波数帯で待ち受ける。第１のシステムのみをサポートできるユーザ装置１００は、第１のシステムの第２周波数帯で待ち受ける。
【０１４２】
（方法６）
（制御装置）
本移動体通信システムでは、第１のシステムのみをサポートできるユーザ装置１００が第２周波数帯に待ち受ける確率を向上させる。第１のシステムのみをサポートできるユーザ装置１００が第１のシステムの第２周波数帯に待ち受ける確率が高くなるように制御が行われることにより、第１周波数帯で待ち受けを行うユーザ装置の数が少なくなるため、第１及び第２のシステムの両方をサポートできるユーザ装置２００が待ち受ける周波数帯が第１周波数帯となる確率を高くすることができる。第１及び第２のシステムの両方をサポートできるユーザ装置２００を待ち受けさせる周波数帯が第１周波数帯となる確率を高くすることにより、該ユーザ装置が第１のシステムに待ち受けを行い、第２のシステムにハンドオーバする際にも同じ第１の周波数帯であるため、ハンドオーバの失敗率を小さくでき、ハンドオーバの品質を向上できる。
【０１４３】
本制御装置８００は、無線ネットワーク制御装置４００が有するようにしてもよいし、ＬＴＥ基地局装置５００が有するようにしてもよい。また、本制御装置８００は、無線ネットワーク制御装置４００及びＬＴＥ基地局装置５００が有するようにしてもよい。本実施例に従った制御装置８００は、図８を参照して説明した制御装置と同様の機能ブロック図で示される。しかし、図８を参照して説明した制御装置と、重み付け設定部８１２の機能が異なる。
【０１４４】
重み付け設定部８１２は、ユーザ装置判別部８０２と接続される。重み付け設定部８１２は、輻輳レベルに対する重み付けを設定する。具体的には、重み付け設定部８１２は、移動体通信システムの輻輳レベルに対する重み付けを設定する。また、重み付け設定部８１２は、サービスを提供する周波数帯の輻輳レベルに対する重み付けを設定する。重み付け設定部８１２は、ユーザ装置判別部８０２により入力されたユーザ装置の判別結果に基づいて、該判別結果が第１のシステムのみをサポートするものである場合に、第２周波数帯の輻輳レベルが低くなるように、重み付けを設定する。又は、重み付け設定部８１２は、ユーザ装置判別部８０２により入力されたユーザ装置の判別結果に基づいて、該判別結果が第１のシステムのみをサポートするものである場合に、第１周波数帯の輻輳レベルが高くなるように、重み付けを設定するようにしてもよい。重み付け設定部８１２は、輻輳レベル設定部８１０に、設定した重み付け情報を入力する。重み付け情報には、移動体通信システムの輻輳レベルに対する重み付けと、周波数帯の輻輳レベルに対する重み付けとが含まれる。
【０１４５】
RRC処理部８０６は、優先度情報設定部８１４と接続される。RRC処理部８０６は、ユーザ装置に、セル再選択のための優先度を通知する。
【０１４６】
制御装置８００により送信されたセル再選択のための優先度は、制御装置８００が無線ネットワーク制御装置４００に含まれる場合には、Ｗ-ＣＤＭＡ基地局装置３００ｎに送信される。Ｗ-ＣＤＭＡ基地局装置３００ｎは、ユーザ装置１００及び２００に、該セル再選択のための優先度を無線送信する。
【０１４７】
また、制御装置８００により送信されたセル再選択のための優先度は、該制御装置８００がＬＴＥ基地局装置５００に含まれる場合には、ユーザ装置２００に無線送信される。
【０１４８】
ユーザ装置１００及び２００は、待ち受け可能な移動体通信システムのうち、最もセル再選択のための優先度が高い移動体通信システムに待ち受ける処理を行う。また、ユーザ装置は、待ち受け可能な周波数帯のうち、セル再選択のための優先度の高い周波数帯に待ち受ける処理を行う。
【０１４９】
本実施例では、第１のシステムのみをサポートするユーザ装置１００に対しては、第２周波数帯のセル再選択のための優先度が高く及び／又は第１の周波数帯のセル再選択のための優先度が低く設定されたセル再選択のための優先度が通知されるので、該ユーザ装置１００は、第１のシステムの第２周波数帯で待ち受ける処理を行う確率が高くなる。
【０１５０】
（通信制御方法）
本実施例に従った制御装置８００とユーザ装置との間の処理は、図９に示すフロー図で説明される。図９に示すフロー図において、ステップＳ９０６以降の処理が異なる。ユーザ装置には、ユーザ装置１００及び２００が含まれる。
【０１５１】
ステップＳ９０６では、制御装置８００は、ステップＳ９０４により判別されたユーザ装置１００及び２００の能力に基づいて、該ユーザ装置１００及び２００が待ち受ける移動体通信システム及び周波数帯を選択する際に使用する輻輳レベルに対する重み付けを設定する。重み付け設定部８１２は、ユーザ装置判別部８０２により入力されたユーザ装置の判別結果に基づいて、該判別結果が第１のシステムのみをサポートするものである場合に、第２周波数帯の輻輳レベルが低くなるように、重み付けを設定する。又は、重み付け設定部８１２は、ユーザ装置判別部８０２により入力されたユーザ装置の判別結果に基づいて、該判別結果が第１のシステムのみをサポートするものである場合に、第１周波数帯の輻輳レベルが高くなるように、重み付けを設定するようにしてもよい。
【０１５２】
ステップＳ９０８では、制御装置８００は、ステップＳ９０６により設定された輻輳レベルに対する重み付けに従って、輻輳レベルを設定する。輻輳レベル設定部８１０は、重み付け設定部８１２により入力された重み付けに従って、移動体通信システムの輻輳レベルを設定する。移動体通信システムの輻輳レベルには、第１のシステムの輻輳レベルと、第２のシステムの輻輳レベルとが含まれてもよい。また、輻輳レベル設定部８１０は、移動体通信システムが複数の周波数帯でサービスを提供している場合には、各周波数帯の輻輳レベルを設定する。各周波数帯の輻輳レベルには、第１周波数帯の輻輳レベルと、第２周波数帯の輻輳レベルとが含まれてもよい。
【０１５３】
ステップＳ９１０では、制御装置８００は、ステップＳ９０８により設定された輻輳レベルに基づいて、セル再選択のための優先度を設定する。優先度情報設定部８１４は、輻輳レベルに基づいて、移動体通信システムのセル再選択のための優先度を設定する。移動体通信システムのセル再選択のための優先度には、第１のシステムのセル再選択のための優先度と、第２のシステムのセル再選択のための優先度とが含まれてもよい。また、優先度情報設定部８１４は、移動体通信システムが複数の周波数帯でサービスを提供している場合には、各周波数帯のセル再選択のための優先度を設定する。各周波数帯のセル再選択のための優先度には、第１周波数帯のセル再選択のための優先度と、第２周波数帯のセル再選択のための優先度とが含まれてもよい。あるいは、優先度情報設定部８１４は、各移動体通信システムの各周波数帯の各キャリアのセル再選択のための優先度を設定してもよい。
【０１５４】
ステップＳ９１２では、制御装置８００は、ユーザ装置に、ステップＳ９１０により設定されたセル再選択のための優先度を通知する。ＲＲＣ処理部８０６は、ユーザ装置に、優先度情報設定部８１４により設定されたセル再選択のための優先度を通知する。
【０１５５】
ステップＳ９１４では、ユーザ装置１００及び２００は、制御装置８００により通知されたセル再選択のための優先度に基づいて、待ち受ける移動体通信システムを設定する。第１のシステムのみをサポートできるユーザ装置１００は、第１のシステムで待ち受けするように設定する。
【０１５６】
ステップＳ９１６では、ユーザ装置１００及び２００は、制御装置８００により通知されたセル再選択のための優先度に基づいて、待ち受けるべき周波数帯を設定する。第１のシステムのみをサポートできるユーザ装置１００が受信する輻輳レベルには、第２周波数帯の輻輳レベルが低いように設定されているので、該ユーザ装置１００は第２周波数帯で待ち受けする確率が高い。
【０１５７】
ステップＳ９１８では、ユーザ装置１００及び２００は、ステップＳ９１４により設定された移動体通信システムのステップＳ９１６により設定された周波数帯で待ち受ける。第１のシステムのみをサポートできるユーザ装置１００は、第１のシステムの第２周波数帯で待ち受ける確率が高い。第１のシステムのみをサポートできるユーザ装置１００が第２周波数帯で待ち受けする確率が高い結果、第１及び第２のシステムの両方をサポートできるユーザ装置２００は、第１周波数帯で待ち受ける確率が高くなる。
【０１５８】
方法６において、制御装置８００は、輻輳レベルに基づいて、ユーザ装置１００及び２００が待ち受けるべき移動体通信システム及びキャリアを設定するようにしてもよい。例えば、図８において、優先度情報設定部８１４に代わりに、待ち受けシステム・キャリア設定部を有するようにしてもよい。
【０１５９】
待ち受けシステム・キャリア設定部は、輻輳レベル設定部８１０により入力された輻輳レベルに基づいて、ユーザ装置１００及び２００が待ち受けるべき移動体通信システム及びキャリアを設定する。輻輳レベルに対して重み付けがされているので、第１のシステムのみをサポートできるユーザ装置２００が待ち受けるべき移動体通信システムは、輻輳レベルが小さい移動体通信システムで待ち受けするべきであるという点が考慮されて設定されることになる。更に、第１のシステムのみをサポートできるユーザ装置２００が待ち受けるべきキャリアは、輻輳レベルが小さいキャリアで待ち受けするべきであるという点が考慮されて設定されることになる。待ち受けシステム・キャリア設定部は、待ち受けるべき移動体通信システム及びキャリアを示す情報をRRC処理部８０６に入力する。
【０１６０】
本実施例によれば、ユーザ装置に対して、セル再選択の際に用いられる優先度を通知する制御装置が実現される。ユーザ装置は、第１の移動体通信システムとの間で通信可能な第１のユーザ装置と、前記第１の移動体通信システムと該第１の移動体通信システムとは無線アクセス技術が異なる第２の移動体通信システムとの間で通信可能な第２のユーザ装置とを含む。第１の移動体通信システムは第１及び第２周波数帯で通信が可能であり、第２の移動体通信システムは第１周波数帯で通信が可能である。制御装置は、配下のユーザ装置が第１のユーザ装置及び第２のユーザ装置のいずれかであるかを判別する判別部と、該判別部により第２のユーザ装置であると判別されたユーザ装置に対して、待ち受けるべき移動体通信システムとして第１の移動体通信システムを指定し、待ち受けるべき周波数帯として第１周波数帯を指定するための優先度を設定する優先度設定部と、該優先度設定部により設定された優先度を通知する通知部とを有する
第２のユーザ装置であると判別されたユーザ装置に対して、待ち受ける移動体通信システムとして第１の移動体通信システムを指定することにより、第１の移動体通信システムは面的なカバレッジが十分であるため、ユーザ装置がページング信号を受信できる確率を高くすることができる。また、第２のユーザ装置であると判別されたユーザ装置に対して、待ち受ける周波数帯として第１周波数帯を指定することにより、第２の移動体通信システムにハンドオーバする際にも同じ第１周波数帯であるため、ハンドオーバの失敗率を小さくでき、ハンドオーバの品質を向上できる。
【０１６１】
本実施例によれば、該制御装置は、第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定する輻輳レベル設定部を有する。そして、前記優先度設定部は、前記輻輳レベル設定部により設定された輻輳レベルに基づいて、優先度を設定する。
【０１６２】
第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定することにより、第２のユーザ装置に対して、第１のシステムの優先度を高くし、また、第１周波数帯の優先度を高くすることができる。
【０１６３】
本実施例によれば、ユーザ装置に対して、待ち受けるべき移動体通信システム及び周波数帯を指定する制御装置が実現される。ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、前記第１の移動体通信システムは第１及び第２周波数帯で無線通信が可能であり、前記第２の移動体通信システムは第１周波数帯で無線通信が可能である。制御装置は、配下のユーザ装置が前記第１のユーザ装置及び第２のユーザ装置のいずれかであるかを判別する判別部と、該判別部により第２のユーザ装置であると判別されたユーザ装置に対して、待ち受けるべき移動体通信システムとして第１の移動体通信システムを指定し、待ち受けるべき周波数帯として第１周波数帯を指定する待ち受けシステム・周波数帯指定部と、該待ち受けシステム・周波数帯指定部により指定された待ち受けるべき移動体通信システム及び周波数帯を通知する通知部とを有する。
【０１６４】
第２のユーザ装置であると判別されたユーザ装置に対して、待ち受ける移動体通信システムとして第１の移動体通信システムを指定することにより、第１の移動体通信システムは面的なカバレッジが十分であるため、ユーザ装置がページング信号を受信できる確率を高くすることができる。また、第２のユーザ装置であると判別されたユーザ装置に対して、待ち受ける周波数帯として第１周波数帯を指定することにより、第２の移動体通信システムにハンドオーバする際にも同じ第１周波数帯であるため、ハンドオーバの失敗率を小さくでき、ハンドオーバの品質を向上できる。
【０１６５】
本実施例によれば、該制御装置は、第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定する輻輳レベル設定部を有する。そして、待ち受けシステム・周波数帯指定部は、前記輻輳レベル設定部により設定された輻輳レベルに基づいて、待ち受けるべき移動体通信システムと、待ち受けるべき周波数帯を指定する。
【０１６６】
第２のユーザ装置に対しては第２のシステムの輻輳レベルが第１のシステム輻輳レベルよりも高くなるように、及び第２周波数帯の輻輳レベルが第１周波数帯の輻輳レベルよりも高くなるように設定することにより、第２のユーザ装置に対して、待ち受けるべき移動体通信システムとして第１の移動体通信システムを指定し、待ち受けるべき周波数帯として第１周波数帯を指定する確率を高くすることができる。
【０１６７】
本実施例によれば、ユーザ装置に対して、セル再選択の際に用いられる優先度を通知する制御装置が実現される。ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、前記第１の移動体通信システムは第１及び第２周波数帯で無線通信が可能であり、前記第２の移動体通信システムは第１周波数帯で無線通信が可能である。制御装置は、配下のユーザ装置が前記第１のユーザ装置及び第２のユーザ装置のいずれかであるかを判別する判別部と、該判別部により第１のユーザ装置であると判別されたユーザ装置に対して、待ち受けるべき周波数帯として第２周波数帯を指定するための優先度を設定する優先度設定部と、該優先度設定部により設定された優先度を通知する通知部とを有する。
【０１６８】
第１のユーザ装置であると判別されたユーザ装置に対して、待ち受ける周波数帯として第２周波数帯を指定することにより、第１周波数帯で待ち受けを行う第１のユーザ装置の数が少なくなるため、第２のユーザ装置が待ち受けるセルが第１周波数帯のセルとなる確率を高くすることができる。第２のユーザ装置が待ち受けるセルが第１周波数帯のセルとなる確率を高くすることができるため、該第２のユーザ装置が待ち受けるセルが第１の移動体通信システムであった場合でも、第２の移動体通信システムにハンドオーバする際には、同じ第１周波数帯であるため、ハンドオーバの失敗率を小さくでき、ハンドオーバの品質を向上できる。
【０１６９】
本実施例によれば、該制御装置は、第１のユーザ装置に対しては、第１周波数帯の輻輳レベルが第２周波数帯の輻輳レベルよりも高くなるように設定する輻輳レベル設定部を有する。そして、前記優先度設定部は、前記輻輳レベル設定部により設定された輻輳レベルに基づいて、優先度を設定する。
【０１７０】
第１のユーザ装置に対しては、第１周波数帯の輻輳レベルが第２周波数帯の輻輳レベルよりも高くなるように設定することにより、第１のユーザ装置に対して、第２周波数帯の優先度を高くすることができる。
【０１７１】
本実施例によれば、ユーザ装置に対して、待ち受けるべき移動体通信システム及び周波数帯を指定する制御装置が実現される。ユーザ装置は、第１の移動体通信システムとの間で無線通信可能な第１のユーザ装置と、前記第１の移動体通信システムと該第１の移動体通信システムとは無線アクセス技術が異なる第２の移動体通信システムとの間で無線通信可能な第２のユーザ装置とを含み、前記第１の移動体通信システムは第１及び第２周波数帯で無線通信が可能であり、前記第２の移動体通信システムは第１周波数帯で無線通信が可能である。制御装置は、配下のユーザ装置が前記第１のユーザ装置及び第２のユーザ装置のいずれかであるかを判別する判別部と、該判別部により第１のユーザ装置であると判別されたユーザ装置に対して、待ち受けるべき周波数帯として第２周波数帯を指定する待ち受けシステム・周波数帯指定部と、該待ち受けシステム・周波数帯指定部により指定された待ち受けるべき周波数帯を通知する通知部とを有する。
【０１７２】
第１のユーザ装置であると判別されたユーザ装置に対して、待ち受ける周波数帯として第２周波数帯を指定することにより、第１周波数帯で待ち受けを行う第１のユーザ装置の数が少なくなるため、第２のユーザ装置が待ち受けるセルが第１周波数帯のセルとなる確率を高くすることができる。第２のユーザ装置が待ち受けるセルが第１周波数帯のセルとなる確率を高くすることができるため、該第２のユーザ装置が待ち受けるセルが第１の移動体通信システムであった場合でも、第２の移動体通信システムにハンドオーバする際には、同じ第１周波数帯であるため、ハンドオーバの失敗率を小さくでき、ハンドオーバの品質を向上できる。
【０１７３】
本実施例によれば、該制御装置は、第１のユーザ装置に対しては、第１周波数帯の輻輳レベルが第２周波数帯の輻輳レベルよりも高くなるように設定する輻輳レベル設定部を有する。そして、前記待ち受けシステム・周波数帯指定部は、前記輻輳レベル設定部により設定された輻輳レベルに基づいて、待ち受けるべき周波数帯として第２周波数帯を指定する。
【０１７４】
第１のユーザ装置に対しては、第１周波数帯の輻輳レベルが第２周波数帯の輻輳レベルよりも高くなるように設定することにより、第１のユーザ装置に対して、待ち受けるべき周波数帯として第２周波数帯を指定する確率を高くすることができる。
【０１７５】
本実施例によれば、上記制御装置を有する無線ネットワーク制御装置が実現される。無線ネットワーク制御装置が実現されることにより、既存のシステムをサポートするユーザ装置に対して、待ち受ける移動体通信システム及び周波数帯を指定できる。また、LTEシステムをサポートするユーザ装置に対して、待ち受ける移動体通信システム及び周波数帯を指定できる。
【０１７６】
本実施例によれば、上記制御装置を有する基地局装置が実現される。基地局装置が実現されることにより、LTEシステムをサポートするユーザ装置に対して、待ち受ける移動体通信システム及び周波数帯を指定できる。
【０１７７】
尚、上述した実施例においては、W-CDMA及びEvolved  UTRA  and  UTRANが適用されるシステムにおける例を記載したが、本実施例に従った制御装置、無線ネットワーク制御装置、及び基地局装置並びに通信制御方法は、ユーザ装置に待ち受けるべき移動体通信システム及び周波数帯を指定する全てのシステムにおいて適用することが可能である。例えば、3GPP2における1x-EV−DO，UMB(Ultra  Mobile  Broadband)においても適用することができる。
【０１７８】
説明の便宜上、発明の理解を促すため具体的な数値例を用いて説明されるが、特に断りのない限り、それらの数値は単なる一例に過ぎず適切な如何なる値が使用されてよい。
【０１７９】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【０１８０】
本国際出願は、２００９年２月２６日に出願した日本国特許出願２００９−０４４６３３号に基づく優先権を主張するものであり、２００９−０４４６３３号の全内容を本国際出願に援用する。
【符号の説明】
【０１８１】
１００、２００  ユーザ装置(UE:  User  Equipment)
３００（３００１、３００２）  ＷＣＤＭＡ基地局装置(Base  Transceiver  Station)
３５０（３５０１、３５０２）  セル
４００  無線ネットワーク制御装置(RNC:  Radio  Network  Controller)
５００  ＬＴＥ基地局装置(eNB:  eNodeB)
５５０  セル
６００  アクセスゲートウェイ(access  Gateway)
７００  コアネットワーク(CN:  Core  Network)
８００  制御装置
８０２  ユーザ装置判別部
８０４  優先度情報設定部
８０６  RRC(Radio  Resource  Control)処理部
８０８  待ち受けシステム・キャリア設定部
８１０  輻輳レベル設定部
８１２  重み付け設定部
８１４  優先度情報設定部
【図１】
2010098264.tif 000003
【図２】
2010098264.tif 000004
【図３】
2010098264.tif 000005
【図４】
2010098264.tif 000006
【図５】
2010098264.tif 000007
【図６】
2010098264.tif 000008
【図７】
2010098264.tif 000009
【図８】
2010098264.tif 000010
【図９】
2010098264.tif 000011
【国際調査報告】
2010098264.tif 000012
2010098264.tif 000013